(57)【要約】【課題】室内機の吹き出し口から吹き出される風を、ユーザが希望する風向きや風量と一致させるには、煩雑な作業が必要である。【解決手段】端末装置３の撮像部５０によって空気調和を行う対象となる空調空間を撮像すると、端末装置３の表示画面５２には、撮像画像が表示される。また、端末装置３の表示画面５２には、室内機２ａから供給された運転情報に基づいて、室内機の吹出口から吹き出される風に対応した仮想空間画像６０が表示される。ユーザは、仮想空間画像６０が表示された表示画面５２に触れることで、室内機の吹出口から吹き出される風の風向や風量を変更する操作を行う。【選択図】図４
2014190686.tif 000002
【特許請求の範囲】
【請求項１】
空気調和を行う対象となる空調空間を撮像する撮像手段と、
前記撮像手段で撮像された撮像画像を表示する表示画面と、
空気調和機との間において情報の通信を行う通信手段と、
前記表示画面の表示される表示内容を制御する制御手段とを備え、
前記制御手段は、空気調和機の吹き出し口から吹き出される風および空気調和機の運転モードの少なくとも一方についての運転情報を、前記撮像画像が表示された表示画面に表示するものであって、
前記表示画面に触れることによって前記表示画面に表示された運転情報が変更されたときに、その変更後の運転情報を空気調和機に供給することを特徴とする端末装置。
【請求項２】
前記制御手段は、前記通信手段によって空気調和機から取得した情報に基づいて、空気調和機の吹き出し口から吹き出される風および空気調和機の運転モードの少なくとも一方についての運転情報を、前記撮像画像が表示された表示画面に表示することを特徴とする請求項１に記載の端末装置。
【請求項３】
前記制御手段は、空気調和機の吹き出し口から吹き出される風および空気調和機の運転モードの少なくとも一方についての運転情報を、仮想空間画像として、前記撮像画像が表示された表示画面に表示することを特徴とする請求項１または２に記載の端末装置。
【請求項４】
空気調和機の吹き出し口から吹き出される風に対応した仮想空間画像の長さが、空気調和機の吹き出し口から吹き出される風量に基づいて変化することを特徴とする請求項３に記載の端末装置。
【請求項５】
空気調和機の吹き出し口から吹き出される風に対応した仮想空間画像の色の濃さが、空気調和機の風量に基づいて変化することを特徴とする請求項３または４に記載の端末装置。
【請求項６】
空気調和機の吹き出し口から吹き出される風に対応した仮想空間画像の色が、空気調和機の運転モードに基づいて変化することを特徴とする請求項３−５のいずれかに記載の端末装置。
【請求項７】
空気調和機の吹き出し口から吹き出される風に対応した仮想空間画像が変化することを特徴とする請求項３−６のいずれかに記載の端末装置。
【請求項８】
空気調和機の吹き出し口から吹き出される風に対応した仮想空間画像が、風のスイング動作を示すように変化することを特徴とする請求項７に記載の端末装置。
【請求項９】
前記制御手段は、操作方法を示すガイド内容を、前記撮像画像が表示された表示画面に表示することを特徴とする請求項１−８のいずれかに記載の端末装置。
【請求項１０】
請求項１−９のいずれかに記載の端末装置と、
前記端末装置から変更後の運転情報が供給されたときに、その変更後の運転情報に基づいて運転状態が制御される空気調和機とを備えることを特徴とする空調ユニット。
【発明の詳細な説明】
【技術分野】
【０００１】
本発明は、例えば空気調和機との間で情報の通信を行う端末装置及びそれを備えた空調ユニットに関する。
【背景技術】
【０００２】
従来の空気調和機では、吹き出し口から吹き出される風について、リモコンによって設定されるのが一般的である。従来の空気調和機において、風向きについて左右方向および上下方向のそれぞれに対して複数の風向きのうちのいずれかに設定されるとともに、風量の大小について複数の風量のうちのいずれかに設定されることが多い。したがって、ユーザは、リモコンでの表示に基づいて、吹き出し口から吹き出される風の風向きや風量を設定するが、風向きについては、おおまかなゾーンを設定するだけであって、風量については、おおまかな強弱を設定するだけである。
【先行技術文献】
【特許文献】
【０００３】
【特許文献１】特開２００９−１８０４６０
【発明の概要】
【発明が解決しようとする課題】
【０００４】
そのため、リモコンでの設定内容を、ユーザが希望する風向きや風量と一致させるには、リモコンでの設定を行った後で、吹き出し口から吹き出される風向きや風量を確認して、ユーザの希望と異なる場合には、リモコンでの設定を再度行う必要がある。よって、従来の空気調和機では、吹き出し口から吹き出される風を、ユーザが希望する風向きや風量と一致させるには、煩雑な作業が必要である。
【０００５】
そこで、本発明の目的は、例えば吹き出し口から吹き出される風をユーザが希望する風向きや風量と容易に一致させることができる端末装置及びそれを備えた空調ユニットを提供することである。
【課題を解決するための手段】
【０００６】
第１の発明にかかる端末装置は、空気調和を行う対象となる空調空間を撮像する撮像手段と、前記撮像手段で撮像された撮像画像を表示する表示画面と、空気調和機との間において情報の通信を行う通信手段と、前記表示画面の表示される表示内容を制御する制御手段とを備え、前記制御手段は、空気調和機の吹き出し口から吹き出される風および空気調和機の運転モードの少なくとも一方についての運転情報を、前記撮像画像が表示された表示画面に表示するものであって、前記表示画面に触れることによって前記表示画面に表示された運転情報が変更されたときに、その変更後の運転情報を空気調和機に供給することを特徴とする。
【０００７】
この端末装置では、空気調和機の吹き出し口から吹き出される風や空気調和機の運転モードについての運転情報が、空気調和を行う対象となる空調空間を撮像した撮像画像が表示された表示画面に表示される。そして、ユーザは、端末装置の表示画面に触れることによって表示画面に表示された運転情報を変更すると、その変更後の運転情報が端末装置から空気調和機に供給される。すると、空気調和機の吹き出し口から吹き出される風や空気調和機の運転モードが、空気調和機に供給された変更後の運転情報に基づいて制御される。したがって、本発明の端末装置を使用すると、空気調和機の吹き出し口から吹き出される風または空気調和機の運転モードを容易に変更できる。
【０００８】
第２の発明にかかる端末装置は、第１の発明にかかる端末装置において、前記制御手段が、前記通信手段によって空気調和機から取得した情報に基づいて、空気調和機の吹き出し口から吹き出される風および空気調和機の運転モードの少なくとも一方についての運転情報を、前記撮像画像が表示された表示画面に表示するものであることを特徴とする。
【０００９】
この端末装置では、空気調和機から取得した情報に基づいて、空気調和機の吹き出し口から吹き出される風や空気調和機の運転モードについての運転情報が、空気調和を行う対象となる空調空間を撮像した撮像画像が表示された表示画面に表示される。したがって、空気調和機についての運転情報を記憶してない端末装置であっても、空気調和機から運転情報を取得することで、空気調和機の吹き出し口から吹き出される風や空気調和機の運転モードについての運転情報を表示できる。
【００１０】
第３の発明にかかる端末装置は、第１または第２の発明にかかる端末装置において、前記制御手段は、空気調和機の吹き出し口から吹き出される風および空気調和機の運転モードの少なくとも一方についての運転情報を、仮想空間画像として、前記撮像画像が表示された表示画面に表示することを特徴とする。
【００１１】
この端末装置では、空気調和機の吹き出し口から吹き出される風や空気調和機の運転モードについての運転情報が仮想空間画像として表示されるので、空気調和機の吹き出し口から吹き出される風の状態を把握しやすい。したがって、特に空気調和機の吹き出し口から吹き出される風の風向きや風量を、ユーザが希望する風向きや風量に容易に一致させることができる。
【００１２】
第４の発明にかかる端末装置は、第３の発明にかかる端末装置において、空気調和機の吹き出し口から吹き出される風に対応した仮想空間画像の長さが、空気調和機の吹き出し口から吹き出される風量に基づいて変化することを特徴とする。
【００１３】
この端末装置では、空気調和機の吹き出し口から吹き出される風に対応した仮想空間画像に基づいて、吹き出し口から吹き出される風の風量を把握しやすいので、ユーザが容易に操作できる。
【００１４】
第５の発明にかかる端末装置は、第３または第４の発明にかかる端末装置において、空気調和機の吹き出し口から吹き出される風に対応した仮想空間画像の色の濃さが、空気調和機の風量に基づいて変化することを特徴とする。
【００１５】
この端末装置では、空気調和機の吹き出し口から吹き出される風に対応した仮想空間画像に基づいて、吹き出し口から吹き出される風の風量を把握しやすいので、ユーザが容易に操作できる。
【００１６】
第６の発明にかかる端末装置は、第３−第５のいずれかの発明にかかる端末装置において、空気調和機の吹き出し口から吹き出される風に対応した仮想空間画像の色が、空気調和機の運転モードに基づいて変化する特徴とする。
【００１７】
この端末装置では、空気調和機の吹き出し口から吹き出される風に対応した仮想空間画像に基づいて、空気調和機の運転モードを把握しやすい。
【００１８】
第７の発明にかかる端末装置は、第３−第６のいずれかの発明にかかる端末装置において、空気調和機の吹き出し口から吹き出される風に対応した仮想空間画像が変化することを特徴とする。
【００１９】
この端末装置では、空気調和機の吹き出し口から吹き出される風に対応した仮想空間画像が、吹き出し口から吹き出される風であることが分かるように表示されるので、吹き出し口から吹き出される風を把握しやすい。
【００２０】
第８の発明にかかる端末装置は、第７の発明にかかる端末装置において、空気調和機の吹き出し口から吹き出される風に対応した仮想空間画像が、風のスイング動作を示すように変化することを特徴とする。
【００２１】
この端末装置では、空気調和機の吹き出し口から吹き出される風に対応した仮想空間画像が、スイング動作を行うように表示されるので、吹き出し口から吹き出される風のスイング動作を把握しやすい。
【００２２】
第９の発明にかかる端末装置は、第１−第８のいずれかの発明にかかる端末装置において、前記制御手段は、操作方法を示すガイド内容を、前記撮像画像が表示された表示画面に表示することを特徴とする。
【００２３】
この端末装置では、ユーザが表示画面に触れて操作を行う場合に、操作方法を示すガイド内容が表示画面に表示されるので、ユーザが容易に操作できる。
【００２４】
第１０の発明にかかる空調ユニットは、請求項１−９のいずれかに記載の端末装置と、前記端末装置から変更後の運転情報が供給されたときに、その変更後の運転情報に基づいて運転状態が制御される空気調和機とを備えることを特徴とする。
【００２５】
この空調ユニットでは、空気調和機の吹き出し口から吹き出される風や空気調和機の運転モードについての運転情報が、空気調和を行う対象となる空調空間を撮像した撮像画像が表示された表示画面に表示される。そして、ユーザは、端末装置の表示画面に触れることによって表示画面に表示された運転情報を変更すると、その変更後の運転情報が端末装置から空気調和機に供給される。すると、空気調和機の吹き出し口から吹き出される風や空気調和機の運転モードが、空気調和機に供給された変更後の運転情報に基づいて制御される。したがって、本発明の空調ユニットでは、空気調和機の吹き出し口から吹き出される風や空気調和機の運転モードを容易に変更できる。特に、空気調和機の吹き出し口から吹き出される風や空気調和機の運転モードについての運転情報が仮想空間画像として表示画面に表示される場合には、空気調和機の吹き出し口から吹き出される風の風向きや風量を、ユーザが希望する風向きや風量と容易に一致させることができる。
【発明の効果】
【００２６】
以上の説明に述べたように、本発明によれば、以下の効果が得られる。
【００２７】
第１の発明では、空気調和機の吹き出し口から吹き出される風や空気調和機の運転モードについての運転情報が、空気調和を行う対象となる空調空間を撮像した撮像画像が表示された表示画面に表示される。そして、ユーザは、端末装置の表示画面に触れることによって表示画面に表示された運転情報を変更すると、その変更後の運転情報が端末装置から空気調和機に供給される。すると、空気調和機の吹き出し口から吹き出される風や空気調和機の運転モードが、空気調和機に供給された変更後の運転情報に基づいて制御される。したがって、本発明の端末装置を使用すると、空気調和機の吹き出し口から吹き出される風または空気調和機の運転モードを容易に変更できる。
【００２８】
第２の発明では、空気調和機から取得した情報に基づいて、空気調和機の吹き出し口から吹き出される風や空気調和機の運転モードについての運転情報が、空気調和を行う対象となる空調空間を撮像した撮像画像が表示された表示画面に表示される。したがって、空気調和機についての運転情報を記憶してない端末装置であっても、空気調和機から運転情報を取得することで、空気調和機の吹き出し口から吹き出される風や空気調和機の運転モードについての運転情報を表示できる。
【００２９】
第３の発明では、空気調和機の吹き出し口から吹き出される風や空気調和機の運転モードについての運転情報が仮想空間画像として表示されるので、空気調和機の吹き出し口から吹き出される風の状態を把握しやすい。したがって、特に空気調和機の吹き出し口から吹き出される風の風向きや風量を、ユーザが希望する風向きや風量に容易に一致させることができる。
【００３０】
第４の発明では、空気調和機の吹き出し口から吹き出される風に対応した仮想空間画像に基づいて、吹き出し口から吹き出される風の風量を把握しやすいので、ユーザが容易に操作できる。
【００３１】
第５の発明では、空気調和機の吹き出し口から吹き出される風に対応した仮想空間画像に基づいて、吹き出し口から吹き出される風の風量を把握しやすいので、ユーザが容易に操作できる。
【００３２】
第６の発明では、空気調和機の吹き出し口から吹き出される風に対応した仮想空間画像に基づいて、空気調和機の運転モードを把握しやすい。
【００３３】
第７の発明では、空気調和機の吹き出し口から吹き出される風に対応した仮想空間画像が、吹き出し口から吹き出される風であることが分かるように表示されるので、吹き出し口から吹き出される風を把握しやすい。
【００３４】
第８の発明では、空気調和機の吹き出し口から吹き出される風に対応した仮想空間画像が、スイング動作を行うように表示されるので、吹き出し口から吹き出される風のスイング動作を把握しやすい。
【００３５】
第９の発明では、ユーザが表示画面に触れて操作を行う場合に、操作方法を示すガイド内容が表示画面に表示されるので、ユーザが容易に操作できる。
【００３６】
第１０の発明では、空気調和機の吹き出し口から吹き出される風または空気調和機の運転モードについての運転情報が、空気調和を行う対象となる空調空間を撮像した撮像画像が表示された表示画面に表示される。そして、ユーザは、端末装置の表示画面に触れることによって表示画面に表示された運転情報を変更すると、その変更後の運転情報が端末装置から空気調和機に供給される。すると、空気調和機の吹き出し口から吹き出される風または空気調和機の運転モードが、空気調和機に供給された変更後の運転情報に基づいて制御される。したがって、本発明の空調ユニットでは、空気調和機の吹き出し口から吹き出される風または空気調和機の運転モードを容易に変更できる。特に、空気調和機の吹き出し口から吹き出される風または空気調和機の運転モードについての運転情報が仮想空間画像として表示画面に表示される場合には、空気調和機の吹き出し口から吹き出される風の風向きや風量を、ユーザが希望する風向きや風量と容易に一致させることができる。
【図面の簡単な説明】
【００３７】
【図１】本発明の実施形態に係る空調ユニットを示す図である。
【図２】室内機の断面図である。
【図３】空気調和を行う対象となる空調空間を示す図である。
【図４】空調空間の撮像画像が表示された表示画面を示す図である。
【図５】風向変更（左右）を行う操作を説明する図である。
【図６】風幅変更を行う操作を説明する図である。
【図７】風向変更（上下）を行う操作を説明する図である。
【図８】風量変更を行う操作を説明する図である。
【図９】スイング動作の操作を説明する図である。
【図１０】運転モードの変更を行う操作を説明する図である。
【図１１】本発明の第１変形例に係る端末装置の表示画面を示す図である。
【図１２】本発明の第２変形例に係る端末装置の表示画面を示す図である。
【発明を実施するための形態】
【００３８】
以下、この発明を図示の実施の形態により詳細に説明する。
【００３９】
図１に示すように、本実施形態の空調ユニット１は、室内に設置される室内機２ａおよび室外に設置される室外機２ｂを有する空気調和機２と、室内機２ａ（空気調和機２）との間で情報の通信を行う端末装置３とを備えている。空気調和機２は、圧縮機１０と、四方弁１１、室外熱交換器と、膨張弁と、室内熱交換器１２とを接続した冷媒回路を備えている。空気調和機１は、冷房運転および暖房運転が可能である。
【００４０】
冷房運転が行われる場合は、圧縮機１０から吐出された冷媒が四方弁１１から室外熱交換器、膨張弁、室内熱交換器１２へと順に流れ、室内熱交換器１２を経た冷媒が四方弁１１を通って圧縮機１０に戻る冷房サイクルが形成される。すなわち、室外熱交換器が凝縮器、室内熱交換器１２が蒸発器として機能する。一方、暖房運転が行われる場合は、四方弁１１が切換わることにより、圧縮機１０から吐出される冷媒が四方弁１１から室内熱交換器１２、膨張弁、室外熱交換器へと順に流れ、室外熱交換器を経た冷媒が四方弁１１を通って圧縮機１０に戻る暖房サイクルが形成される。すなわち、室内熱交換器１２が凝縮器、室外熱交換器が蒸発器として機能する。
【００４１】
室内機２ａは、図２に示すように、上面に室内空気の吸込口１６を有し、前面下部に空調用空気の吹出口１７とを有している。室内機２ａ内には、吸込口１６から吹出口１７に向かって空気流路が形成され、この空気流路には、室内熱交換器１２と、横流型の室内ファン１８が配置される。したがって、室内ファン１８が回転すると、室内空気が吸込口１６から室内機２ａ内に吸込まれ、室内熱交換器１２を通った後で、吹出口１７から吹き出される。
【００４２】
室内機２ａの吹出口１７は、室内機２ａの下端部において、室内機２ａの長手方向に延びている。そして、吹出口１７には、吹き出される風の風向を変更する上下風向板１９および左右風向板２０が配置されている。上下風向板１９は、上下方向に揺動して、上下方向について風向を変更する。左右風向板２０は、左右方向に揺動して、左右方向について風向を変更する。室内機２ａでは、上下風向板１９および左右風向板２０を、それぞれ、所定の位置で固定させたり、所定範囲においてスイング動作を行うことができる。
【００４３】
室内機２ａは、室内ファン１８、上下風向板１９および左右風向板２０を制御する室内制御部３０を有している。室内制御部３０は、記憶部３１と、情報の通信を行う通信部３２に接続されている。記憶部３１は、例えば室内機２ａの運転についての情報を記憶するものである。通信部３２は、室内機２ａから外部に対して情報を供給するとともに、端末装置３から供給された情報を受けることができる。通信部３２は、例えば無線LAN、ZigBee、bluetooth、光通信などであってよい。したがって、室内制御部３０は、記憶部３１に記憶された情報に基づいて、室内ファン１８の回転数、上下風向板１９および左右風向板２０の固定位置や動作を制御する。また、室内制御部３０は、記憶部３１に記憶された情報を外部に対して通信したり、端末装置３から供給された情報を記憶部３１に記憶したりする。
【００４４】
室外機２ｂは、圧縮機１０、四方弁１１、室外熱交換器および膨張弁を有しており、圧縮機１０および四方弁１１を制御する室外制御部３６を有している。室外制御部３６は、情報の通信を行う通信部３７に接続されている。通信部３７は、室内機２ａとの間で情報の通信を行うことができる。したがって、室外制御部３６は、室内機２ａから供給された情報に基づいて、圧縮機１０の周波数や四方弁１１の動作を制御する。
【００４５】
端末装置３は、例えばスマートフォンなどのカメラ付き液晶端末であって、撮像部５０と、表示画面５２とを有している。端末装置３では、表示画面５２が端末装置３の一面に配置されており、その反対側の面に、撮像部５０が配置されている。そして、端末装置３は、撮像部５０および表示画面５２を制御する制御部５３を有している。制御部５３は、記憶部５４と、画像変換部５５と、操作検知部５６と、情報の通信を行う通信部５７とに接続されている。
【００４６】
記憶部５４は、例えば撮像部５０によって撮像された撮像画像や室内機２ａの運転についての情報を記憶するものである。画像変換部５５は、室内機２ａから供給された運転情報（例えば、吹出口１７から吹き出される風の風量、風向についての情報や、空気調和機２の運転モードについての情報）を、その情報に対応した仮想空間画像に変換する。
【００４７】
操作検知部５６は、ユーザが表示画面５２に触れて、風の風量や風向の変更操作を行ったり、運転モードの変更操作を行った場合に、その操作を検知する。操作検知部５６によって検知された操作についての情報は記憶部５３に記憶された後、通信部５７を介して室内機２ａに供給される。通信部５７は、室内機２ａから端末装置３に対して情報を供給するとともに、端末装置３から供給された情報を受けることができる。したがって、制御部５３は、記憶部５４に記憶された撮像画像を表示画面５２に表示したり、記憶部５４に記憶された仮想空間画像を表示画面５２に表示する。また、制御部５３は、記憶部５４に記憶された情報を端末装置３に対して通信したり、端末装置３から供給された情報を記憶部５４に記憶したりする。
【００４８】
室内機２ａは、図３に示すように、空気調和を行う対象となる空調空間の壁面に配置される。端末装置３において、ソフトを起動し、カメラ表示の設定モードにすることによって空調空間６０を撮像できる状態になる。そして、端末装置３によって空調空間を撮像した場合には、その撮像された画像（撮像画像）が表示画面５２に表示される。図４は、撮像画像が表示画面５２に表示された端末装置３の例を示している。図４（ａ）−（ｃ）は、それぞれ、ユーザが図３に図示された位置Ｔ１、Ｔ２、Ｔ３にいるときに、端末装置３を室内機２ａに向けて空調空間を撮像した場合を示している。このように、端末装置３では、撮像部５０を室内機２ａに向けると、撮像部５０が捕らえた室内機２ａの傾きと大きさから、端末装置３と室内機２ａの距離と位置関係を計算し割り出して、撮像画像を表示画面５２に表示する。
【００４９】
図４に示すように、表示画面５２には、撮像画像が表示されるとともに、吹出口１７から吹き出される風に対応した仮想空間画像６０と、表示画面切換部６５とが表示される。風に対応した仮想空間画像６０は、室内機２ａから供給された運転情報に基づいたものであって、室内機２ａの吹出口１７から吹き出される風の風量および風向の状態を示すものである。このように、表示画面５２に表示された仮想空間画像６０が、室内機２ａの吹出口１７から吹き出される風の状態を表しているので、ユーザは、表示画面５２に表示された仮想空間画像６０によって、室内機２ａの吹出口１７から吹き出される風の状態を把握することができる。表示画面切換部６５は、運転モード変更部６５ａと、風量・風向変更部６５ｂと有しており、空気調和機２の運転モードについての操作を行う画面と、室内機２ａの吹出口１７から吹き出される風の風量、風向についての操作を行う画面とを切り換えるものである。したがって、図４に示すように、風量・風向変更部６５ｂが設定されている場合は、室内機２ａの吹出口１７から吹き出される風の風量、風向についての操作を行う画面が表示される。一方、運転モード変更部６５ａが設定されている場合は、空気調和機２の運転モードについての操作を行う画面が表示される。
【００５０】
本実施形態において、端末装置３によって、空気調和機２の運転モードや、室内機２の運転状態（風の風量や風向）を変更する場合の操作手順について説明する。まず、端末装置３をカメラ表示の設定モードにして空調空間を撮像する。すると、撮像画像が表示画面５２に表示される。また、室内機２ａの記憶部３１に記憶された運転情報が端末装置３に供給される。端末装置３では、室内機２ａから運転情報を取得すると、その運転情報を、AR（拡張現実）の技術により仮想空間画像に変換して、端末装置３の表示画面５２に表示する。このとき、運転情報に対応した仮想空間画像が、空調空間の撮像画像上に重ねて表示される。
【００５１】
具体的には、図３に示すように、室内機２ａが運転されている場合は、室内機２ａの吹出口１７から吹き出される風が仮想空間画像として表示される。この吹出口１７から吹き出される風に対応した仮想空間画像６０は、空気調和機２の運転モードにしたがって異なる色で表される。例えば冷房運転の場合は青色で風を表示し、暖房運転の場合は橙色で風を表示する。また、吹出口１７から吹き出される風の向きは仮想空間画像６０の範囲によって表され、風量は仮想空間画像６０の範囲の長さ及び色の濃さによって表される。風に対応した仮想空間画像６０の範囲の左端、右端及び下端を示す部分には、丸印６１、６２、６３がそれぞれ表示され、風に対応した仮想空間画像６０の中央には、吹き出し方向に沿った矢印６４が表示される。また、風に対応した仮想空間画像６０は、室内機２ａの吹出口１７から吹き出される風であることが分かるように変化する。例えば仮想空間画像６０の色の濃さが吹出口１７からの距離が大きくなるにつれて薄くなるように表示されることで、室内機２ａの吹出口１７から吹き出される風であることが表わされる。
【００５２】
以下、ユーザが表示画面に触れて行う操作方法について説明する。
【００５３】
（風向変更（左右）の操作）
図５（ａ）では、冷房運転の場合を示す青色の仮想空間画像６０であって、室内機２ａの吹出口１７から吹き出される風に対応した仮想空間画像６０が、空調空間の撮像画像上に重ねて表示されている。そして、図５（ｂ）に示すように、表示画面５２において、風に対応した仮想空間画像６０が表示された部分（丸印６１、６２、６３や矢印６４が表示されてない部分）に触れて、図５（ｃ）に示すように、表示画面５２を左下方向に向かってなぞると、風に対応した仮想空間画像６０の左右方向の向きがなぞられた向きに変わる。このとき、ユーザの操作内容が端末装置３から室内機２ａに供給され、ユーザが操作した後の仮想空間画像６０の左右方向の向きと一致するように、左右風向板２０の向きが制御される。
【００５４】
（風幅変更の操作）
図６（ａ）では、冷房運転の場合を示す青色の仮想空間画像６０であって、室内機２ａの吹出口１７から吹き出される風に対応した仮想空間画像６０が、空調空間の撮像画像上に重ねて表示されている。そして、図６（ｂ）に示すように、表示画面５２において、風に対応した仮想空間画像６０の右端に対応した丸印６２が表示された部分に触れると、左右方向を示すガイド表示６２ａが表示される。ガイド表示６２ａは、表示画面５２に触れた状態で左右方向に沿ってドラッグするように操作することを示している。その状態で、図６（ｃ）に示すように、表示画面５２を右方向に向かってなぞる（風の右端をタッチしてドラッグする）と、風に対応した仮想空間画像６０の右端が移動して、風に対応した仮想空間画像６０の左右方向の幅が右方向に広くなる（風のワイド幅を調整できる）。このとき、ユーザの操作内容が端末装置３から室内機２ａに供給され、ユーザが操作した後の仮想空間画像６０の左右方向の幅と一致するように、左右風向板２０の向きが制御される。また、風に対応した仮想空間画像６０の左右方向の幅を左方向に広くする操作についても同様である。
【００５５】
（風向変更（上下）の操作）
図７（ａ）では、冷房運転の場合を示す青色の仮想空間画像６０であって、室内機２ａの吹出口１７から吹き出される風に対応した仮想空間画像６０が、空調空間の撮像画像上に重ねて表示されている。そして、図７（ｂ）に示すように、表示画面５２において、風に対応した仮想空間画像６０の下端に対応した丸印６３が表示された部分に触れると、上下方向を示すガイド表示６３ａが表示される。ガイド表示６３ａは、表示画面５２に触れた状態で上下方向に沿ってドラッグするように操作することを示している。その状態で、図７（ｃ）に示すように、表示画面５２を下方向に向かってなぞる（風の下端をタッチしてドラッグする）と、風に対応した仮想空間画像６０の上下方向の向きが下向きに変わる。例えば上方向にドラッグすると、吹き出し方向が上方向に変化し、下方向にドラッグすると、吹き出し方向が下方向に変化する。このとき、ユーザの操作内容が端末装置３から室内機２ａに供給され、ユーザが操作した後の仮想空間画像６０の上下方向の向きと一致するように、上下風向板１９の向きが制御される。
【００５６】
（風量変更の操作）
図８（ａ）では、冷房運転の場合を示す青色の仮想空間画像６０であって、室内機２ａの吹出口１７から吹き出される風に対応した仮想空間画像６０が、空調空間の撮像画像上に重ねて表示されている。そして、図８（ａ）に示すように、表示画面５２において、風に対応した仮想空間画像６０の中央の矢印６４に触れると、図８（ｂ）に示すように、複数の風量に対応した複数の領域を含むガイド表示６４ａ（風量変更を示すガイド表示６４ａ）が仮想空間画像６０の内側に表示される。図８（ｂ）では、５段階の最大の風量が設定されていることが、吹出口１７から５段階の最大の風量までの領域（５段階の全ての領域）が青色であることで示している。ガイド表示６４ａは、複数の風量に対応した複数の領域において青色の領域を変更するように吹き出し方向に沿って操作することを示している。その状態で、図８（ｃ）に示すように、表示画面５２を吹出口１７に向かってなぞると、風に対応した仮想空間画像６０の上下方向の長さが短くなる。図８（ｃ）では、５段階の３番目に大きい風量が設定されていることが、吹出口１７から３番目に大きい風量までの領域が青色であって、５段階の最大の風量及び２番目に大きい風量の領域が青色でない。このように、風量変更を示すガイド表示６４ａにおいて、表示画面５２上の目盛りを少なく（風を短く）すると風量が弱風に変更され、目盛りを多く（風を長く）すると風量が強風に変更される。また、図８（ｂ）に示すように、風量レベルが表示画面５２上に数値で表示される。このとき、ユーザの操作内容が端末装置３から室内機２ａに供給され、ユーザが操作した後の仮想空間画像６０の風量と一致するように、室内ファン１８の回転数が制御される。図８（ｂ）および図８（ｃ）に示すように、風量変更を示すガイド表示６４ａが表示された状態において、ユーザが風に対応した仮想空間画像６０以外のエリアをタッチするか、もしくは一定時間が経過すると、風量変更の操作が終了したと考えられるので、表示画面５２の表示が図８（ａ）の状態に戻る。
【００５７】
（スイング動作の操作）
図９（ａ）に示すように、冷房運転の場合を示す青色の仮想空間画像６０であって、室内機２ａの吹出口１７から吹き出される風に対応した仮想空間画像６０が、空調空間の撮像画像上に重ねて表示された状態において、風に対応した仮想空間画像６０上を２点タッチで上下方向に広げると、上下方向についてスウング動作を行う範囲を指定できる。一方、図９（ｂ）に示すように、冷房運転の場合を示す青色の仮想空間画像６０であって、室内機２ａの吹出口１７から吹き出される風に対応した仮想空間画像６０が、空調空間の撮像画像上に重ねて表示された状態において、風に対応した仮想空間画像６０上を２点タッチで左右方向に広げると、左右方向についてスウング動作を行う範囲を指定できる。このとき、ユーザの操作内容が端末装置３から室内機２ａに供給され、ユーザが操作した後の仮想空間画像６０の上下方向または左右方向の範囲でスイング動作を行うように、上下風向板１９または左右風向板２０の動作が制御される。このとき、風に対応した仮想空間画像６０は、上下方向または左右方向の範囲でスイング動作を行うように表示される（例えば、設定されたスイング範囲が薄い色で表示され、その範囲内で仮想空間画像６０が上下または左右に動くアニメーションが表示される）。
【００５８】
このように、本実施形態の端末装置３を使用すると、仮想現実の技術を使って、気流を指で描くことで思い通りに風向き・風量を操作できる。そして、実空間上に描かれた仮装の風を見て指で動かすという直感的な操作により、ゾーンや羽根のポジション指定で出来なかった柔軟な風向調整がユーザーの意図通り簡単に設定できるようになる。
【００５９】
（運転モード変更の操作）
図１０（ａ）では、冷房運転の場合を示す青色の仮想空間画像６０であって、室内機２ａの吹出口１７から吹き出される風に対応した仮想空間画像６０が、空調空間の撮像画像上に重ねて表示されている。そして、図１０（ｂ）に示すように、室内機２ａの吹出口１７から吹き出される風の風量、風向についての操作を行う画面が表示された状態において、表示画面切換部６５の運転モード変更部６５ａに触れると、図１０（ｃ）に示すように、空気調和機２の運転モードについての操作を行う画面に切り換わる。この画面では、空気調和機２の運転モードを設定する運転モード設定部６６と、設定温度を設定する温度設定部６７とが、空調空間６０の撮像画像上に重ねて表示されている。運転モード設定部６６には、冷房運転および暖房運転の文字がそれぞれ表示された領域を含んでおり、いずれかの領域に触れることで運転モードを設定することができる。温度設定部６７には、設定された設定温度が表示されるとともに、設定温度を変更する変更部６７ａが、空調空間６０の撮像画像上に重ねて表示されている。冷房運転または暖房運転の文字に触れることで空気調和機２の運転モードを変更できるとともに、変更部６７ａに触れることで設定温度を変更できる。したがって、この画面では、冷房運転と暖房運転の切り換え操作と、設定温度の変更操作とを行うことができる。このとき、ユーザの操作内容が端末装置３から室内機２ａに供給され、ユーザが操作した後の運転モードおよび設定温度と一致するように、空気調和機２の運転が制御される。具体的には、空気調和機２の運転モードが変更される場合には、四方弁１１が切り換えられ、設定温度が変更された場合には、例えば空調空間６０の温度（室内温度）と設定温度との温度差に基づいて、圧縮機１０の周波数が制御される。
【００６０】
＜本実施形態の圧縮機の特徴＞
本実施形態の端末装置３では、室内機２ａの吹き出し口１７から吹き出される風または空気調和機２の運転モードについての運転情報が、空気調和を行う対象となる空調空間を撮像した撮像画像が表示された表示画面５２に表示される。そして、ユーザは、端末装置３の表示画面５２に触れることによって表示画面５２に表示された運転情報を変更すると、その変更後の運転情報が端末装置３から室内機２ａ（空気調和機２）に供給される。すると、室内機２ａの吹き出し口１７から吹き出される風または空気調和機２の運転モードが、室内機２ａに供給された変更後の運転情報に基づいて制御される。したがって、本発明の端末装置３を使用すると、室内機２ａの吹き出し口から吹き出される風または空気調和機２の運転モードを容易に変更できる。
【００６１】
本実施形態の端末装置３では、室内機２ａ（空気調和機２）から取得した情報に基づいて、室内機２ａの吹き出し口１７から吹き出される風または空気調和機２の運転モードについての運転情報が、空気調和を行う対象となる空調空間を撮像した撮像画像が表示された表示画面５２に表示される。したがって、空気調和機２についての運転情報を記憶してない端末装置であっても、室内機２ａから運転情報を取得することで、室内機２ａの吹き出し口１７から吹き出される風または空気調和機２の運転モードについての運転情報を表示できる。
【００６２】
本実施形態の端末装置３では、室内機２ａの吹き出し口１７から吹き出される風や空気調和機２の運転モードについての運転情報が仮想空間画像６０として表示されるので、室内機２ａの吹き出し口１７から吹き出される風の状態を把握しやすい。したがって、特に室内機２ａの吹き出し口１７から吹き出される風の風向きや風量を、ユーザが希望する風向きや風量に容易に一致させることができる。
【００６３】
本実施形態の端末装置３では、室内機２ａの吹き出し口１７から吹き出される風に対応した仮想空間画像６０の長さや色の濃さが、吹き出し口１７から吹き出される風の風量に基づいて変化するので、風に対応した仮想空間画像６０に基づいて、吹き出し口１７から吹き出される風の風量を把握しやすい。
【００６４】
本実施形態の端末装置３では、室内機２ａの吹き出し口１７から吹き出される風に対応した仮想空間画像６０の色が、空気調和機２の運転モードに基づいて変化するので、空気調和機の運転モードを把握しやすい。
【００６５】
本実施形態の端末装置３では、室内機２ａの吹き出し口１７から吹き出される風に対応した仮想空間画像６０が変化するので、風に対応した仮想空間画像６０が、吹き出し口１７から吹き出される風であることが把握しやすい。
【００６６】
本実施形態の端末装置３では、室内機２ａの吹き出し口１７から吹き出される風に対応した仮想空間画像６０が、スイング動作を行うように表示されるので、吹き出し口１７から吹き出される風のスイング動作を把握しやすい。
【００６７】
本実施形態の端末装置３では、ユーザが表示画面５２に触れて操作を行う場合に、操作方法を示すガイド表示６２ａ、６３ａ、６４ａが表示画面５２に表示されるので、ユーザが容易に操作できる。
【００６８】
本実施形態の空調ユニット１では、上述した本実施形態の端末装置３と同様の効果が得られる。
【００６９】
（第１変形例）
図１１は、本実施形態の第１変形例を示している。本実施形態では、室内機２ａの吹出口１７から吹き出される風の風量、風向についての操作を行う画面において、吹出口１７から吹き出される風が仮想空間画像として空調空間の撮像画像上に重ねて表示されるのに対して、第１変形例では、吹出口１７から吹き出される風についての設定内容が文字等で表示される。図１１では、運転モード、設定温度、風量、風向についての設定内容が表示されており、表示画面に触れることで、画面を変更しないで同一の画面で設定内容を変更できる。
【００７０】
（第２変形例）
図１２は、本実施形態の第２変形例を示している。本実施形態では、室内機２ａの吹出口１７から吹き出される風の風量、風向についての操作を行う画面において、吹出口１７から吹き出される風が仮想空間画像として空調空間の撮像画像上に重ねて表示されるのに対して、第２変形例では、吹出口１７から吹き出される風についての設定内容が文字等で表示される。図１２（ａ）では、運転モード、設定温度、風量、風向についての設定内容が表示されており、表示画面に触れることで、設定内容を変更する画面に切り換わる。例えば、図１２（ａ）において風向の設定内容が表示された部分に触れると、図１２（ｂ）に示すように、風向の設定内容を変更する画面に切り換わるので、その画面において風向の設定内容を変更できる。
【００７１】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００７２】
上述の実施形態では、室内機２ａ（空気調和機２）から取得した情報に基づいて、室内機２ａの吹き出し口１７から吹き出される風や空気調和機２の運転モードについての運転情報が表示画面５２に表示される場合を説明したが、端末装置３が空気調和機２の運転情報を記憶している場合は、室内機２ａ（空気調和機２）から情報を取得しないで、端末装置３に記憶された情報に基づいて、室内機２ａの吹き出し口１７から吹き出される風や空気調和機２の運転モードについての運転情報を表示画面５２に表示してもよい。
【００７３】
また、上述の実施形態では、室内機２ａの吹き出し口１７から吹き出される風や空気調和機２の運転モードについての運転情報が仮想空間画像６０として表示される場合を説明したが、第１変形例および第２変形例に示すように、室内機２ａの吹き出し口１７から吹き出される風や空気調和機２の運転モードについての運転情報が文字等によって表示されてもよい。
【００７４】
また、上述の実施形態では、室内機２ａの吹き出し口１７から吹き出される風に対応した仮想空間画像６０の長さや色の濃さが、吹き出し口１７から吹き出される風の風量に基づいて変化する場合を説明したが、仮想空間画像６０の長さや色の濃さが、吹き出し口１７から吹き出される風の風量に基づいて変化しなくてもよい。
【００７５】
また、上述の実施形態では、室内機２ａの吹き出し口１７から吹き出される風に対応した仮想空間画像６０の色が、空気調和機２の運転モードに基づいて変化する場合を説明したが、仮想空間画像６０の色が、空気調和機２の運転モードに基づいて変化しなくてもよい。
【００７６】
また、上述の実施形態では、室内機２ａの吹き出し口１７から吹き出される風に対応した仮想空間画像６０が変化する場合を説明したが、仮想空間画像６０が吹き出される風であることが分かるように変化しないものであってもよい。
【００７７】
また、上述の実施形態では、ユーザが表示画面５２に触れて操作を行う場合に、操作方法を示すガイド表示６２ａ、６３ａ、６４ａが表示画面５２に表示される場合を説明したが、操作方法を示すガイド表示が表示画面５２に表示されないものでもよい。
【００７８】
また、上述の実施形態では、端末装置３として、スマートフォンなどのカメラ付き液晶端末が使用される場合について説明したが、撮像手段、表示画面および通信手段を備えた端末装置であれば、他の端末装置であってもよい。したがって、端末装置３が、空気調和機の運転操作を行うリモコンであってもよい。
【産業上の利用可能性】
【００７９】
本発明を利用すれば、室内機２ａの吹き出し口１７から吹き出される風の風向きや風量を、ユーザが希望する風向きや風量に容易に一致させることができる。
【符号の説明】
【００８０】
１  空調ユニット
２  室内機
３  端末装置
５０  撮像手段
５２  表示画面
５７  通信手段
５３  制御手段
６０  仮想空間画像
【図２】
2014190686.tif 000003
【図３】
2014190686.tif 000004
【図４】
2014190686.tif 000005
【図５】
2014190686.tif 000006
【図６】
2014190686.tif 000007
【図７】
2014190686.tif 000008
【図８】
2014190686.tif 000009
【図９】
2014190686.tif 000010
【図１０】
2014190686.tif 000011
【図１１】
2014190686.tif 000012
【図１２】
2014190686.tif 000013
【図１】
2014190686.tif 000014